(57)【要約】【課題】首元の紫外線をカットし、遮熱効果が高い遮熱ネックカバーを提供する。【解決手段】ヘルメット５０に取り付けられる遮熱ネックカバー１００であって、シリカゲルを含有する吸湿層を備えた吸湿シート１１を有し、ヘルメット５０に着脱自在に取り付けられる吸湿部１０と、吸湿シート１１の一端部に着脱自在に取り付けられる遮熱シート部２０とを備えている。【選択図】図２
0003222293.tif 000002
【実用新案登録請求の範囲】
【請求項１】
ヘルメットに取り付けられる遮熱ネックカバーであって、
シリカゲルを含有する吸湿層を備えた吸湿シートを有し、前記ヘルメットに着脱自在に取り付けられる吸湿部と、
前記吸湿部に着脱自在に取り付けられる遮熱シート部とを備えたことを特徴とする遮熱ネックカバー。
【請求項２】
前記吸湿層は、２枚の基材シートの間に、多数のシリカゲルの粒が層状に分布してなる請求項１に記載の遮熱ネックカバー。
【請求項３】
前記遮熱シート部は、面ファスナーにより前記吸湿シートの一端部に着脱自在に取り付けられる請求項１または２に記載の遮熱ネックカバー。
【請求項４】
前記吸湿部は、面ファスナーにより前記ヘルメットの後側に着脱自在に取り付けられる請求項１〜３のいずれか一項に記載の遮熱ネックカバー。
【請求項５】
前記吸湿シートの裏面には、気化促進繊維を用いてなる気化促進シートが形成されている請求項１〜４のいずれか一項に記載の遮熱ネックカバー。
【考案の詳細な説明】
【技術分野】
【０００１】
本考案は、ヘルメットの後側（首元側）に取り付けられる遮熱ネックカバーに関する。
【背景技術】
【０００２】
ヘルメットを着用して作業を行うと汗をかきやすいため、ヘルメット内に汗等がこもり熱中症の危険性がある。特に炎天下で作業を行う場合には、首元に紫外線が直接あたるため、熱中症の危険性が高まる。
【０００３】
そこで、作業者の熱中症対策として、遮熱ヘルメットが提案されている。遮熱ヘルメットとしては、例えば、「合成樹脂の射出成形体からなる帽体を備え、該帽体は、０．５〜２．０μｍの範囲の平均粒子径を備えるルチル型二酸化チタンを該帽体を構成する射出成形体の全量に対し、１．０〜１０．０質量％の範囲で含む遮熱ヘルメット」が提案されている（特許文献１）。
【０００４】
しかしながら、特許文献１に記載の遮熱ヘルメットは、首元の紫外線をカットすることができず、熱中症対策としては不十分であった。
【先行技術文献】
【特許文献】
【０００５】
【特許文献１】特開２０１７−１７９６５９号公報
【考案の概要】
【考案が解決しようとする課題】
【０００６】
本考案は、首元の紫外線をカットでき、遮熱効果が高い遮熱ネックカバーを提供することを目的とする。
【課題を解決するための手段】
【０００７】
本考案の遮熱ネックカバーは、ヘルメットに取り付けられる遮熱ネックカバーであって、シリカゲルを含有する吸湿層を備えた吸湿シートを有し、前記ヘルメットに着脱自在に取り付けられる吸湿部と、前記吸湿部に着脱自在に取り付けられる遮熱シート部とを備えたことを特徴とする。
【考案の効果】
【０００８】
本考案によれば、首元の紫外線をカットでき、遮熱効果が高く、熱中症対策に優れている。
【図面の簡単な説明】
【０００９】
【図１】本考案の一態様に係る遮熱ネックカバーの構成を示す模式図である。
【図２】本考案の一態様に係る遮熱ネックカバーの使用状態を説明する模式図である。
【図３】本考案の一態様に係る遮熱ネックカバーに使用する吸湿シートの概略構成を示す断面図である。
【図４】本考案の他の態様に係る遮熱ネックカバーの構成を示す模式図である。
【考案を実施するための形態】
【００１０】
＜概要＞
本考案の一態様に係る遮熱ネックカバーは、ヘルメットに取り付けられる遮熱ネックカバーであって、シリカゲルを含有する吸湿層を備えた吸湿シートを有し、前記ヘルメットに着脱自在に取り付けられる吸湿部と、前記吸湿部に着脱自在に取り付けられる遮熱シート部とを備えたことを特徴としている。
【００１１】
この態様によれば、首元の紫外線をカットでき、遮熱効果が高く、熱中症対策に優れている。
【００１２】
また、前記吸湿層は、２枚の基材シートの間に、多数のシリカゲルの粒が層状に分布してなる。
【００１３】
この態様によれば、汗の吸水性が向上する。
【００１４】
また、前記遮熱シート部は、面ファスナーにより前記吸湿シートの一端部に着脱自在に取り付けられる。
【００１５】
この態様によれば、遮熱シート部の着脱が容易となる。
【００１６】
さらに、前記吸湿部は、面ファスナーにより前記ヘルメットの後側に着脱自在に取り付けられる。
【００１７】
この態様によれば、吸湿部の着脱が容易となる。
【００１８】
また、前記吸湿シートの裏面には、気化促進繊維を用いてなる気化促進シートが形成されている。
【００１９】
この態様によれば、汗等の蒸発時に多くの気化熱が奪われるため、首元を冷却することができる。
【００２０】
＜第１の実施形態＞
以下、本考案の一態様に係る遮熱ネックカバーについて、図面を参照して説明する。なお、本考案は、以下の実施形態に限定されるものではない。
【００２１】
図１は、本考案の一態様に係る遮熱ネックカバーの構成を示す模式図である。図２は、本考案の一態様に係る遮熱ネックカバーの使用状態を説明する模式図である。図３は、本考案の一態様に係る遮熱ネックカバーに使用する吸湿シートの概略構成を示す断面図である。
【００２２】
なお、以下、図面において、矢印ＵＰの方向は上方向、矢印ＤＮの方向は下方向、矢印Ｌの方向は左方向、矢印Ｒの方向は右方向をそれぞれ示す。
【００２３】
１．全体構成
本実施形態の遮熱ネックカバー１００は、図１に示すように、主に汗を吸湿する吸湿部１０と、主に首元の紫外線をカットする遮熱シート部２０とを備えている。なお、図１は、吸湿部１０と遮熱シート部２０とを分離させた状態を示している。
【００２４】
本実施形態の遮熱ネックカバー１００は、図２に示すように、ヘルメット５０の後側（首元側）のヘッドバンド５１に着脱自在に取り付けられる。
【００２５】
なお、図２において５３は、ヘルメット５０の前側のツバを示す。
【００２６】
２．吸湿部
吸湿部１０は、図１に示すように、主に汗を吸湿する吸湿シート１１を備えている。ここでは、吸湿シート１１の裏面に、気化促進繊維を用いてなる気化促進シート（図示せず）が形成されている。ここでいう「裏面」は、首元と対向する側の面である。
【００２７】
（１）吸湿シート
吸湿シート１１は、図１に示すように、四隅が丸まった長方形状である。吸湿シート１１の外周面は縁取り１２で補強されている。
【００２８】
吸湿シート１１は、図３に示すように、基材シート２と基材シート３とが重ね合わせられ、その重ね合わせられた面４，５同士の間に、多数の粒状をなすシリカゲル６が挟持されて吸湿層９が形成されてなる。吸湿シート１１は、例えば、基材シート２と基材シート３との間に、多数の粒状をなすシリカゲル６を挟み、縫合や熱溶着等により固定して吸湿層９を形成することにより作製することができる。
【００２９】
吸湿シート１１は可撓性で通気性を備え、内部に吸湿機能を有する材料を備えている。そのため、汗の吸水性に優れている。
【００３０】
（１−１）基材シート
基材シート２，３は、特に限定はないが、通気性を備え、空気や湿分を透過可能なものが好ましく、例えば不織布、織布、編物等が用いられる。基材シート２，３の材質としては、例えば、ポリエチレンテレフタレート（ＰＥＴ）等のポリエステル樹脂、ポリプロピレン樹脂等の合成樹脂、レーヨン等が使用できる。基材シート２はウェブ７の集合体であり、同じく基材シート３はウェブ８の集合体である。
【００３１】
（１−２）吸湿層
吸湿層９の材質は、吸湿機能や消臭機能に優れ、即効性がある点でシリカゲルが使用される。シリカゲルは水分の他に空気中に飛散する臭いの元であるアンモニア、トリメチルアミン、硫化水素、メルカプタンや、加齢臭の原因となるノネナールガス等も吸着し消臭機能をも有する。したがって、ヘルメット５０内にこもった臭いや湿気等を除去することができる。
【００３２】
吸湿層９は、図３に示すように、基材シート２，３間において層状（図では４層）をなし、基材シート２，３の対向面４，５間に全体に亘り均一に分布してなる多数のシリカゲル６の集合体である。シリカゲル６を上下両側から矜持した状態において、基材シート２，３の対向面４，５は、図３において拡大して示すように、基材シート２，３の構成素材であるウェブ７，８により互いに縫合されている。
【００３３】
シリカゲル６を固定するために、基材シート２と基材シート３との重合部分にはシリカゲル６を上下両側から挟持した状態においてニードルパンチが複数箇所に亘って施されている。すなわち各ニードルパンチの箇所において基材シート２と基材シート３のウェブ７，８同士が機械的に絡み合うことにより、その絡み合った各箇所付近に基材シート２と基材シート３とが接合され固定されている。これにより、ウェブ７，８により対向面４と対向面５との間が縫合された基材シート２と基材シート３にてシリカゲル６は層状をなしたまま移動不能に挟着保持されている。
【００３４】
シリカゲル６の粒は、多数の微細貫通孔を有しており、高湿度雰囲気下では表面吸着又は毛細管現象により空気中の水分を吸収し、乾燥雰囲気下では吸収した水分を放出し得る機能を有するものが好ましい。そのため、かかる吸湿機能及び放湿機能を良好にするべく、本実施形態におけるシリカゲル６には微細空間容積が０．５〜１．０ｍｌ／ｇ及び表面積が６５０〜３５０ｍ２／ｇの範囲内にあるものが採用されている。
【００３５】
また、微細貫通孔の孔径は３０〜１２０オングストロームのものが吸湿機能等を良好に発揮する上で好ましい。
【００３６】
このように、多数のシリカゲル６の粒が基材シート２と基材シート３とに挟持されることで、高い吸湿性、防湿性、消臭性を長時間に亘って保つことができる。
【００３７】
吸湿シート１１は、定期的に天日に干すと吸湿機能が再生し、繰り返し使用することができるＥＣＯ製品である。
【００３８】
（２）面ファスナー
図１に示すように、略矩形状の吸湿シート１１には、２本の面ファスナー１４が平行に上下方向に沿って設けられている。面ファスナー１４は、オス１４ａとメス１４ｂで構成されている。面ファスナー１４の上側はオス１４ａ、下側はメス１４ｂである。図２に示すように、オス１４ａの先端部をヘルメット５０のヘッドバンド５１の横長の穴５２に通し、メス１４ｂの先端部とループ状に連結することにより、遮熱ネックカバー１００をヘルメット５０の後側（首元側）に取り付けることができる。
【００３９】
ここでは、面ファスナーのフック（チクチクする硬い方）面（Ａ面、凸面）を「オス」、面ファスナーのループ（ふわふわした柔らかい方）面（Ｂ面、凹面）を「メス」とする。
【００４０】
また、図１に示すように、略矩形状の吸湿シート１１の下端部には、吸湿シート１１の左右方向に沿って、面ファスナー１３が取付けられてる。面ファスナー１３は、オス１３ａとメス１３ｂで構成されている。吸湿シート１１側には、面ファスナー１３のメス１３ｂが設けられている。この面ファスナー１３のメス１３ｂは、後述するように、遮熱シート２１側に設けた面ファスナー１３のオス１３ａと連結される。
【００４１】
（３）気化促進シート
吸湿シート１１の裏面に設けられている気化促進シート（図示せず）は、気化熱を応用したクーリング素材であり、異型断面化した気化促進繊維が発生した汗をすばやく吸収し、蒸発を加速させる。
【００４２】
汗の蒸発時に多くの気化熱が奪われるため、首元が冷却される。
【００４３】
気化促進シートは、気化熱を利用して温度を下げる効果があるため、少し濡らして使用することが好ましい。
【００４４】
気化促進シートとしては、特に限定はないが、例えば、ユニチカ社製の「打ち水（登録商標）/Uchimizu（登録商標）」や、「打ち水・ドライ（登録商標）/Uchimizu Dry（登録商標）」などがあげられる。
【００４５】
３．遮熱シート部
遮熱シート部２０は、図１に示すように、下方側が幅広に広がった形状の遮熱シート２１を有する。このような形状により、首元の紫外線をより効果的にカットすることができ、熱中症予防効果が高くなる。遮熱シート２１の３方の端面（左端面、下端面、右端面）は縁取り２２で補強されている。
【００４６】
遮熱シート２１は、遮熱効果が得られるものであれば材質などに特に限定はないが、例えばアルミシートなどがあげられる。
【００４７】
遮熱シート２１の裏面側の上端部には、面ファスナー１３のオス１３ａが設けられている。面ファスナー１３のオス１３ａを、吸湿シート１１側に設けた面ファスナー１３のメス１３ｂと連結することにより、遮熱シート部２０を吸湿部１０の吸湿シート１１に取付けることができる。このように、遮熱シート部２０と吸湿シート１１とは、面ファスナー１３により着脱自在に取付けることができる。
【００４８】
＜第２の実施形態＞
図４は、本考案の他の態様に係る遮熱ネックカバーの構成を示す模式図である。
【００４９】
第２の実施形態に係る遮熱ネックカバー１０１は、第１の実施形態に係る遮熱シート部２０に代えて、遮熱シート部３０を使用する以外は、第１の実施形態に係る遮熱ネックカバー１００と同様の構成である。なお、図４は、吸湿部１０と遮熱シート部３０とを分離させた状態を示している。
【００５０】
１．遮熱シート部
遮熱シート部３０は、図４に示すように、長方形状の遮熱シート３１を有する。遮熱シート３１の３方の端面（左側面、下端面、右端面）は縁取り３２で補強されている。
【００５１】
遮熱シート部３０は、遮熱シート部２０（図１参照）よりも上下方向の長さが短い。そのため、首元の長さが短く、遮熱効果の点では、遮熱シート部２０を使用した第１の実施形態に係る遮熱ネックカバー１００の方が好ましい。
【００５２】
一方、遮熱シート部３０を使用した第２の実施形態に係る遮熱ネックカバー１０１は、屋外で日差しがそれほど強くない場合や、屋内で使用する場合に、首元が邪魔にならず好ましい。
【００５３】
＜変形例＞
以上、一実施形態に係る遮熱ネックカバーを説明したが、本考案はこの実施形態に限られるものではなく、例えば、以下のような変形例であってもよい。また、実施形態と変形例とを組み合わせたものでもよいし、変形例同士を組み合わせたものでもよい。また、実施形態や変形例に記載していない例や要旨を逸脱しない範囲の設計変更があっても本考案に含まれる。
【００５４】
１．ヘッドバンド
実施形態では、遮熱ネックカバー１００をヘルメット５０のヘッドバンド５１に取り付けたが、首元をカバーできれば、遮熱ネックカバー１００の取り付け場所等は特に限定されるものではない。
【００５５】
２．面ファスナー１３
実施形態では、遮熱シート部２０を面ファスナー１３により吸湿シート１１に着脱自在に取り付けたが、取付け手段は面ファスナー１３に限定されるものではなく、面ファスナー１３に代えて、例えばスナップボタン等を使用することもできる。
【００５６】
３．面ファスナー１４
実施形態では、吸湿部１０を面ファスナー１４によりヘルメット５０のヘッドバンド５１に着脱自在に取り付けたが、取付け手段は面ファスナー１４に限定されるものではなく、面ファスナー１４に代えて、例えばスナップボタン等を使用することもできる。
【００５７】
４．吸湿シート
吸湿シート１１は、基材シート２と基材シート３との間に吸湿層９を形成したものに限定されず、基材シート２、３の片面もしくは両面に１層以上の層（表面層）を形成しても差し支えない。
【００５８】
また、吸湿層９を構成するシリカゲル６の固定は、ニードルパンチに限定されず、ホットメルト加工であってもよい。例えば、２枚の基材シートの間に粒状のシリカゲルを挟み込み、２枚の基材シートをエチレン酢酸ビニル等の熱可塑性プラスチックを接着剤としてホットメルト加工することによって形成してもよい。
【００５９】
５．吸湿層
実施形態においては、多数のシリカゲルの粒からなる層は４層であるが、層数は特に限定はなく、２層以上であれば特に限定はない。なお、吸湿効果が十分であれば、１層でもよい。
【００６０】
なお、吸湿層９は、シリカゲルに代えてもしくはシリカゲルとともに、ゼオライト、トルマリン等の天然多孔石、備長炭等の炭材や活性炭、パーライト、ケイ酸ソーダ等を使用することもできる。
【００６１】
６．吸湿センサー
吸湿シート１１には、吸湿センサーを設けることができる。
【００６２】
吸湿センサーは、例えば塩化コバルトを表面に所定量塗布したものが使用できる。塩化コバルトが無水の場合は青色であり、雰囲気中の湿度が増して二水和物となると紫色になり、さらに湿度が増えると六水和物となって桃色となる。この変色を人が視認することで吸湿の度合いを知ることができる。
【００６３】
なお、吸湿センサーを設ける位置については特に限定はないが、吸湿シート１１の中央部ではなく、周辺部に設けることが好ましい。
【００６４】
７．遮熱シート部
実施形態の遮熱ネックカバーにおいては、直射日光が当たらない場合や屋内で作業する場合等には、遮熱シート部を取り外して使用しても差し支えない。
【符号の説明】
【００６５】
１００  遮熱ネックカバー
１０  吸湿部
１１  吸湿シート
２０  遮熱シート部
５０  ヘルメット
【図１】
0003222293.tif 000003
【図２】
0003222293.tif 000004
【図３】
0003222293.tif 000005
【図４】
0003222293.tif 000006